(57)【要約】【課題】光を特定の２方向に集中して出射しながらも光の利用効率の高い光制御シート、面光源装置を提供する。【解決手段】出射側に突出して多数並べて配列された少なくとも１種類の単位レンズ１４１を設け、シート面に対する法線方向から見たときにこの単位レンズ１４１と重なる位置に反射部１４４を形成する。反射部に到達する光は、光源側に戻されて再利用されるので、正面方向へ進む光を少なくし、光を２方向に分割し、その２方向の輝度を高めることができる。【選択図】図５
2007304458.tif 000002
【特許請求の範囲】
【請求項１】
面光源装置に設けられ、光源から出射した光を分割して出射する光制御シートであって、
出射側に突出して多数並べて配列された少なくとも１種類の単位レンズと、
シート面に対する法線方向から見たときに前記単位レンズの頂点と重なる位置に形成された反射部と、
を備える光制御シート。
【請求項２】
請求項１に記載の光制御シートにおいて、
入射側には、突出した凸部と前記凸部に挟まれた領域である凹部とが多数順番に並べられており、
前記単位レンズの頂点と前記凸部の中央とは、シート面に対する法線方向から見たときに重なる位置に配置されており、
前記反射部は、前記凸部に形成されていること、
を特徴とする光制御シート。
【請求項３】
請求項１に記載の光制御シートにおいて、
入射側には、突出した凸部と前記凸部に挟まれた領域である凹部とが多数順番に並べられており、
前記単位レンズの頂点と前記凹部の中央とは、シート面に対する法線方向から見たときに重なる位置に配置されており、
前記反射部は、前記凹部に形成されていること、
を特徴とする光制御シート。
【請求項４】
請求項１から請求項３までのいずれか１項に記載の光制御シートにおいて、
前記反射部は、光を拡散反射すること、
を特徴とする光制御シート。
【請求項５】
請求項１から請求項４までのいずれか１項に記載の光制御シートにおいて、
前記凸部の前記凹部からの突出量は、５μｍ以上６０μｍ以下であること、
を特徴とする光制御シート。
【請求項６】
請求項１から請求項５までのいずれか１項に記載の光制御シートにおいて、
前記単位レンズと前記凸部及び前記凹部は、一体で成型されていること、
を特徴とする光制御シート。
【請求項７】
透過型表示部を背面から照明する面光源装置であって、
複数の光源を並べた光源部と、
請求項１から請求項６までのいずれか１項に記載の光制御シートと、
を備える面光源装置。
【発明の詳細な説明】
【技術分野】
【０００１】
本発明は、液晶表示装置等の照明に用いられる光制御シート、面光源装置に関するものである。
【背景技術】
【０００２】
従来から使用されている液晶表示装置では、その正面方向から観察されることを想定し、液晶表示装置等の照明に用いられる面光源装置の照明光も、正面方向に輝度ピークを持ちながら必要な範囲内に光を集中して出射するようになっていた。
一方、カーナビゲーション用途等で使用される液晶表示装置では、例えば、運転席方向と助手席方向の２方向に観察方向が限定される場合がある。
しかし、従来の面光源装置では、正面方向の照明光の輝度が高く、運転席方向及び助手席方向に向かう光が少ないという問題があった。
特許文献１には、複数の線状プリズムで構成される光学素子を利用して特定の２方向に集中的に光を射出させる面光源装置が開示されている。
【０００３】
しかし、特許文献１に記載の面光源装置では、集光効果を有する第２の光学素子を設けないと、不必要な方向へ拡散出射してしまう光が多く、光の利用効率が悪いという問題があった。また、任意の視野角を得ることができないという問題があった。
【特許文献１】特開２０００−１６４０１６号公報
【発明の開示】
【発明が解決しようとする課題】
【０００４】
本発明の課題は、光を特定の２方向に集中して出射しながらも光の利用効率の高い光制御シート、面光源装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、面光源装置に設けられ、光源（１３）から出射した光を分割して出射する光制御シートであって、出射側に突出して多数並べて配列された少なくとも１種類の単位レンズ（１４１，２４１）と、シート面に対する法線方向から見たときに前記単位レンズの頂点と重なる位置に形成された反射部（１４４，２４４）と、を備える光制御シート（１４，２４）である。
請求項２の発明は、請求項１に記載の光制御シートにおいて、入射側には、突出した凸部（１４２）と前記凸部に挟まれた領域である凹部（１４３）とが多数順番に並べられており、前記単位レンズ（１４１）の頂点と前記凸部の中央とは、シート面に対する法線方向から見たときに重なる位置に配置されており、前記反射部（１４４）は、前記凸部に形成されていること、を特徴とする光制御シート（１４）である。
請求項３の発明は、請求項１に記載の光制御シートにおいて、入射側には、突出した凸部（２４２）と前記凸部に挟まれた領域である凹部（２４３）とが多数順番に並べられており、前記単位レンズ（２４１）の頂点と前記凹部の中央とは、シート面に対する法線方向から見たときに重なる位置に配置されており、前記反射部（２４４）は、前記凹部に形成されていること、を特徴とする光制御シート（２４）である。
請求項４の発明は、請求項１から請求項３までのいずれか１項に記載の光制御シートにおいて、前記反射部（１４４，２４４）は、光を拡散反射すること、を特徴とする光制御シート（１４，２４）である。
請求項５の発明は、請求項１から請求項４までのいずれか１項に記載の光制御シートにおいて、前記凸部（１４２，２４２）の前記凹部（１４３，２４３）からの突出量（Ｔ，Ｔ２）は、５μｍ以上６０μｍ以下であること、を特徴とする光制御シート（１４，２４）である。
請求項６の発明は、請求項１から請求項５までのいずれか１項に記載の光制御シートにおいて、前記単位レンズ（１４１，２４１）と前記凸部（１４２，２４２）及び前記凹部（１４３，２４３）は、一体で成型されていること、を特徴とする光制御シート（１４，２４）である。
請求項７の発明は、透過型表示部（１１）を背面から照明する面光源装置であって、複数の光源（１３）を並べた光源部（１２，１３）と、請求項１から請求項６までのいずれか１項に記載の光制御シート（１４，２４）と、を備える面光源装置である。
【発明の効果】
【０００６】
本発明によれば、以下の効果を奏することができる。
（１）単位レンズの頂点と重なる位置に反射部が形成されているので、照明光を２方向に分割することができると共に、その２方向の輝度を向上できる。
【０００７】
（２）単位レンズの頂点と凸部の中央とは、シート面に対する法線方向から見たときに重なる位置に配置されており、反射部は、凸部に形成されているので、反射部を容易に形成できる。
【０００８】
（３）単位レンズの頂点と凹部の中央とは、シート面に対する法線方向から見たときに重なる位置に配置されており、反射部は、凹部に形成されているので、反射部を容易に形成できる。また、反射層の厚さを容易に厚くできることから、高い反射率の反射層を容易に形成できる。
【０００９】
（４）反射部は、光を拡散反射するので、光の利用効率が高く、また、オーバーコート等が必要なく、生産性を高めることができる。
【００１０】
（５）凸部の凹部からの突出量は、５μｍ以上６０μｍ以下であるので、反射層の形成を容易に行うことができる。また、凹部に反射部を設ける場合においては、反射層の厚さを容易に厚くできることから、高い反射率の反射層を容易に形成できる。
【００１１】
（６）単位レンズと凸部及び凹部は、一体で成型されているので、生産性がよく、また、耐環境性を高くできる。
【発明を実施するための最良の形態】
【００１２】
光を特定の２方向に集中して出射するという目的を、出射側に設けられた単位レンズと入射側に設けられた反射部とをシート面に対する法線方向から見たときに重なる位置に配置することにより、光の利用効率が高い状態で実現した。
【実施例１】
【００１３】
図１は、本発明による面光源装置を含む透過型表示装置の実施例１を示す図である。
なお、図１を含め、以下に示す各図は、模式的に示した図であり、各部の大きさ、形状は、理解を容易にするために、適宜誇張して示している。
本実施例における透過型表示装置１０は、ＬＣＤ（Liquid Crystal Display）パネル１１，反射板１２，発光管１３，光制御シート１４，乳白板１５−１，１５−２等を備え、ＬＣＤパネル１１に形成される映像情報を背面から照明して表示する装置である。なお、ＬＣＤパネル１１を背面から照明する面光源装置としては、反射板１２，発光管１３，光制御シート１４，乳白板１５−１，１５−２が該当している。
【００１４】
ＬＣＤパネル１１は、透過型の液晶表示素子により形成されており、３０インチサイズ、８００×６００ドットの表示を行うことができる。ＬＣＤパネル１１は、発光管１３の長手方向に沿った方向が、水平方向として使用され、発光管１３が並ぶ方向が、垂直方向として使用され、主な用途は、液晶モニタ、液晶テレビ等である。
発光管１３は、バックライトの光源部を形成する線光源の冷陰極管であり、本実施例では、略７５ｍｍ間隔で等間隔に６本が並列に垂直方向に並べられている。発光管１３の背面には、反射板１２が設けられている。
反射板１２は、発光管１３の光制御シート１４とは反対側（背面側）の全面にわたって設けられており、背面側へ進む照明光を拡散反射して光制御シート１４方向（出射方向）へ向かわせ、入射光照度を均一に近付ける働きを持つ。
乳白板１５−１，１５−２は、無指向性の光拡散特性を有した拡散板であり、光制御シート１４の光源側に配置されている。
【００１５】
図２は、光制御シート１４を示す斜視図である。図２（ａ）は、出射側が見える状態の斜視図であり、図２（ｂ）は、入射側が見える状態の斜視図である。
光制御シート１４は、発光管１３から出射した照明光を特定の２方向（本実施例では、水平方向で方向の異なる２方向）に分割して出射するレンズシートである。
光制御シート１４の出射側には、２つの出射方向毎に光を収束して出射する単位レンズ１４１が形成されている。単位レンズ１４１は、連続する楕円筒の一部の形状となっており、光制御シート１４の出射側表面は、この単位レンズ１４１が平行に多数並べて配置されてレンチキュラーレンズ面となっている。単位レンズ１４１の並ぶ方向は、発光管１３の並ぶ方向と直交している（図１参照）。
光制御シート１４の入射側には、反射部１４４が設けられている。反射部１４４は、一定の幅（Ｗ：図３参照）を保ったまま単位レンズ１４１が延在する方向と一致する方向に延在したものが多数並べられてストライプ状に形成されている。
【００１６】
本実施例の光制御シート１４は、屈折率１．４９の透明なＰＭＭＡ（Polymethyl Methacrylate：アクリル樹脂）を用いた押し出し成型により一体成型されている。
光制御シート１４の成型に押し出し法を用いて両面の賦型を同時に行うことにより、生産性をよくできる。また、光制御シート１４の入射側と出射側とが同じ材料により形成されているので、吸水率や線膨張係数が等しくなる。よって、温度及び湿度の変化があったとしても、入射側と出射側が略同様な挙動をして、片面のみに大きな変形や反り等が発生することがなく、耐環境性を高めることができる。
なお、光制御シート１４は、ＰＭＭＡに限らず、光透過性の有る他の熱可塑性樹脂を適宜選択して使用してもよい。また、光制御シート１４は、紫外線硬化樹脂や電離放射線硬化樹脂等の光硬化樹脂を用いて作製してもよい。
【００１７】
図３は、光制御シート１４を図２中に矢印で示したＳ１−Ｓ２断面で切断した断面図である。なお、図３は、図中の上方が出射側となっている。
単位レンズ１４１は、図３に示した断面において、長半径が４００μｍ、短半径が２００μｍの楕円筒の一部形状となっており、その長軸が光制御シート１４のシート面に対して直交している。また、単位レンズ１４１は、ピッチ３００μｍで並べられている。
ここで、シート面とは、光制御シート全体として見たときにおけるシートの平面方向として定義される面を指すものとし、以下の説明において、入射角度、出射角度とは、シート面に対する角度であって、シート面における法線と光の進む方向とが成す角度を示すものとする。
光制御シート１４の入射側には、凸部１４２，凹部１４３，反射部１４４が設けられている。
凸部１４２は、その中心がシート面に対する法線方向から見たときに単位レンズ１４１の頂点と重なる位置に幅Ｗ＝１５０μｍで配置されている。
凹部１４３は、凸部１４２に挟まれた部分に凸部１４２からの深さ（凸部１４２の凹部１４３からの突出量Ｔ）が５０μｍとなるように設けられており、その幅は、１５０μｍである。また、光制御シート１４の厚さは、３５０μｍである。
【００１８】
ここで、凸部１４２の凹部１４３からの突出量をＴとすると、５μｍ≦Ｔ≦６０μｍの範囲であることが望ましい。突出量Ｔの下限値は、後述の反射部１４４を印刷により形成することを前提とした場合、特別なマスキングなどをすることなく印刷できる限界値から決められた値である。また、突出量Ｔの上限値は、凸部１４２の側面１４２ａから照明光が入射すると、そのまま大きな不必要な方向へ出射角度で出射してしまうので、そのような光の量が許容できる範囲として決められた値である。
【００１９】
反射部１４４は、凸部１４２の入射側表面に形成されており、照明光を拡散反射する拡散反射面となっている。本実施例の反射部１４４は、顔料として酸化チタンを使用した白色インキを凸部１４２の入射側表面に印刷することにより形成されている。上記白インキを使用すると、反射しない光は、拡散透過するので光の利用効率を高くできる。この反射部１４４を白色インキ等の拡散反射面とせずに、アルミニウムや銀等を用いた反射面としてしまうと、幾分かの光は吸収してしまい、光の利用効率がよくない。また、これらの金属を使用すると、酸化によって黒化や反射率低下の現象が起こることがあり、これを防ぐためオーバーコート層等を設ける必要があり、コストアップに繋がってしまう。よって、この反射部１４４は、白色インキ等の拡散反射面とすることが望ましい。
上述したように、凸部１４２の中心がシート面に対する法線方向から見たときに単位レンズ１４１の頂点と重なる位置に配置されているので、反射部１４４の中心も、シート面に対する法線方向から見たときに単位レンズ１４１の頂点と重なる位置となっている。
【００２０】
ここで、本実施例の光制御シート１４の作用を説明するために、従来のレンチキュラーレンズシートの場合を例に挙げて本実施例と比較する。
図４は、本実施例の反射部１４４に相当する部分を有していない従来のレンチキュラーレンズシート１００に入射する光の進み方を説明する図である。
図５は、本実施例の光制御シート１４に入射する光の進み方を説明する図である。
従来のレンチキュラーレンズシート１００に入射する光は、シート面の法線方向（正面方向）を中心とした方向に光を収束して出射している。
これに対して、本実施例の光制御シート１４は、反射部１４４が設けられていないとしたならばシート面の法線方向に近い方向へ出射する光を、反射部１４４により反射して光源側へ戻す。よって、本実施例の光制御シート１４は、シート面の法線方向へ出射する光が少なくなる。なお、光源側へ戻された光は、反射板１２によって反射されて再度光制御シート１４に到達するので、無駄なく再利用される。
一方、シート面の法線方向からある程度の角度を有した方向へ出射する光は、反射部１４４以外の位置から光制御シート１４へ入射するので、反射部１４４に遮られることなく出射する。
ここで、反射部１４４により反射されて戻された光は、再利用されるので、シート面の法線方向からある程度の角度を有した方向へ出射する光となるものが多くなる。特に、本実施例では、乳白板１５−１を通過して再利用されるので、必要な方向へ出射する光をより多くできる。
【００２１】
図６は、本実施例の光制御シート１４に入射角度０度の平行光線が入射した場合を示す図である。
本実施例の光制御シート１４では、入射角度０度の光が入射しているにもかかわらず、シート面の法線方向に近い角度（小さい出射角度）で出射する光が存在していない。
図７は、本実施例の光制御シート１４に入射角度３０度の平行光線が入射した場合を示す図である。
図８は、本実施例の光制御シート１４に入射角度６０度の平行光線が入射した場合を示す図である。
図７，８に示す場合についても、シート面の法線方向に近い角度（小さい出射角度）で出射する光が存在していない。
【００２２】
図９は、図４に示した従来のレンチキュラーレンズシート１００と本実施例の光制御シート１４を面光源装置に使用したときの水平視野角特性を比較する図である。なお、図９の測定結果は、乳白板１５−１，１５−２を面光源装置から取り外した状態で示している。
従来のレンチキュラーレンズシート１００では、出射角度０度付近に集中して光が出射している。これに対して、本実施例の光制御シート１４では、出射角度０度付近に出射する光が抑えられ、出射角度３５度付近と出射角度−３５度付近の２方向に光が分割されて出射し、この出射角度３５度付近と出射角度−３５度付近の輝度は、従来の出射角度０度付近の輝度よりも上昇している。
また、従来のレンチキュラーレンズシート１００で出射角度±７０度を超える方向に発生していた第２のピークもなく、上記２方向の輝度も従来の正面輝度よりも高くなっている。
【００２３】
以上説明したように、本実施例によれば、照明光を特定の２方向に分割して出射できる。また、反射部で反射される光は再利用されるので、２方向に光を集中して出射することができる。したがって、特定の２方向に光を分割ながらも、その２方向の輝度を高めることができる。
【実施例２】
【００２４】
図１０は、実施例２の光制御シート１４を実施例１の図３と同様に切断した断面図である。
実施例１では、反射部１４４は、凸部１４２に設けられていたが、本実施例２では、反射部２４４を設ける位置を凹部２４３とした形態である。したがって、光制御シート２４についてのみ説明を行い、実施例１と共通する部分については、同一の符号を付して説明を省略する。
単位レンズ２４１は、図１０に示した断面において、長半径が４００μｍ、短半径が２００μｍの楕円筒の一部形状となっており、その長軸が光制御シート２４のシート面に対して直交している。また、単位レンズ２４１は、ピッチ３００μｍで並べられている。
光制御シート２４の入射側には、凸部２４２，凹部２４３，反射部２４４が設けられている。
凸部２４２は、その中心がシート面に対する法線方向から見たときに単位レンズ２４１の谷部と重なる位置に幅１５０μｍで配置されている。
凹部２４３は、凸部２４２に挟まれた部分に凸部２４２からの深さ（凸部２４２の凹部２４３からの突出量Ｔ２）が５０μｍとなるように設けられており、その幅は、１５０μｍである。
また、光制御シート２４の厚さは、３００μｍである。
【００２５】
ここで、凸部２４２の凹部２４３からの突出量Ｔ２は、５μｍ≦Ｔ２≦６０μｍの範囲であることが望ましい。突出量Ｔ２の下限値（５μｍ）は、後述の反射部２４４を形成することができる限界値から決められた値である。また、突出量Ｔ２の上限値（６０μｍ）は、凸部２４２の入射面から入射した必要な光を遮ってしまい、視野角を狭くすること、及び、インキの乾燥が悪くなり、生産性が悪くなることを鑑みて決められた値である。
【００２６】
反射部２４４は、凹部２４３内に形成されており、照明光を拡散反射する拡散反射面となっている。本実施例の反射部２４４は、顔料として酸化チタンを使用した白色インキを凹部２４３内にのみ残し、凸部２４２の表面に残さないようにして形成されている。上記白インキを使用すると、反射しない光は、拡散透過するので光の利用効率を高くできる。
この反射部２４４を白色インキ等の拡散反射面とせずに、アルミニウムや銀等を用いた反射面としてしまうと、幾分かの光は吸収してしまい、光の利用効率がよくない。また、これらの金属を使用すると、酸化によって黒化や反射率低下の現象が起こることがあり、これを防ぐためオーバーコート層等を設ける必要があり、コストアップに繋がってしまう。よって、この反射部２４４は、白色インキ等の拡散反射面とすることが望ましい。
【００２７】
反射部２４４の形成時に、白色インキを凹部２４３内にのみ残し、凸部２４２の表面に残さないようにするには、光制御シート２４の入射側全面に白色インキを塗布した後、スキージング（ワイピング）を行うとよい。
図１１は、反射部２４４の形成方法の他の例を示す図である。
図１１に示した反射部２４４の形成方法は、スキージングを行わない方法である。まず、反射部２４４を形成する前の光制御シート２４の形状のみのシートを成型する（図１１（ａ））。次に、凸部２４２のシート面に平行な面（最も突出した面）にのみ、インクをはじく撥水層２４５を印刷により設ける。この撥水層２４５の形成（塗り分け）は、凸部２４２が突出していることから簡単に行える（図１１（ｂ））。最後に、シートの入射側全面を反射部用のインキに浸し、そのまま引き上げることにより、撥水層２４５の形成された部分はインキが乗らず、凹部２４３にのみインキが残る。撥水性を発現するには、フッ素樹脂系のインキを使うとよい。
なお、撥水層２４５として必要な撥水特性としては、水の接触角度６０度以上の撥水性を示すことが望ましい。ここで、水の接触角度の評価方法は、ＪＩＳ  Ｒ３２５７の基板ガラス表面のぬれ性試験方法に記載の静滴法により行った。
【００２８】
このように、スキージングを行ったり、撥水層２４５を設けたりすることにより、反射部２４４の形成を容易に行える。また、凹部２４３の深さに応じて反射部２４４の厚さを調整できるので、簡単に反射部２４４の厚さを厚くでき、反射部２４４の反射率を簡単に高くできる。反射部の反射率は、その層厚に依存し、反射部２４４を印刷により形成する場合に、高い反射率を確保するためには、数回〜数十回の印刷を繰返す必要がある。しかし、本実施例のように、凹部２４３内に反射部２４４を形成することにより、簡単に高い反射率を確保できる。
【００２９】
本実施例によれば、実施例１と同様に光を２方向に集中して出射可能な光制御シートを、その入射面の凹凸が実施例１よりも少ない形態で形成できる。また、反射層の厚さを容易に厚くできることから、高い反射率の反射層を容易に形成できる。
【００３０】
（変形例）
以上説明した実施例に限定されることなく、種々の変形や変更が可能であって、それらも本発明の均等の範囲内である。
（１）各実施例において、液晶モニタ又は液晶テレビに主に使用される表示装置に本発明を適用する例を挙げて説明したが、これに限らず、例えば、カーナビゲーション装置の情報やカーテレビ装置の表示等に使用する自動車搭載用の表示装置であってもよいし、携帯機器の表示装置に使用してもよい。なお、このような場合には、直下型の面光源に代わり、導光板を使用したサイドライト型の面光源を使用してもよい。
【００３１】
（２）本実施例において、線光源を並列に並べた面光源装置を例に挙げて説明したが、これに限らず、例えば、点光源を用いる面光源装置であってもよい。
【００３２】
（３）各実施例において、光制御シートは、１種類の単位レンズが出射側に並べられている例を示したが、これに限らず、複数種類の単位レンズを組み合わせて出射側に配置してもよい。
【００３３】
（４）各実施例において、光制御シートの入射側に凹凸形状を形成し、その凹凸形状を利用して反射部を形成する例を示したが、これに限らず、例えば、光制御シートの入射面を平坦な面とし、その上に印刷等により反射部１４４を形成してもよい。
【図面の簡単な説明】
【００３４】
【図１】本発明による面光源装置を含む透過型表示装置の実施例１を示す図である。
【図２】光制御シート１４を示す斜視図である。
【図３】光制御シート１４を図２中に矢印で示したＳ１−Ｓ２断面で切断した断面図である。
【図４】本実施例の反射部１４４に相当する部分を有していない従来のレンチキュラーレンズシート１００に入射する光の進み方を説明する図である。
【図５】本実施例の光制御シート１４に入射する光の進み方を説明する図である。
【図６】本実施例の光制御シート１４に入射角度０度の平行光線が入射した場合を示す図である。
【図７】本実施例の光制御シート１４に入射角度３０度の平行光線が入射した場合を示す図である。
【図８】本実施例の光制御シート１４に入射角度６０度の平行光線が入射した場合を示す図である。
【図９】図４に示した従来のレンチキュラーレンズシート１００と本実施例の光制御シート１４を面光源装置に使用したときの水平視野角特性を比較する図である。
【図１０】実施例２の光制御シート１４を実施例１の図３と同様に切断した断面図である。
【図１１】反射部２４４の形成方法の他の例を示す図である。
【符号の説明】
【００３５】
１０  透過型表示装置
１１  ＬＣＤパネル
１２  反射板
１３  発光管
１４，２４  光制御シート
１４１，２４１  単位レンズ
１４２，２４２  凸部
１４２ａ  側面
１４３，２４３  凹部
１４４，２４４  反射部
１５−１，１５−２  乳白板
【図１】
2007304458.tif 000003
【図２】
2007304458.tif 000004
【図３】
2007304458.tif 000005
【図４】
2007304458.tif 000006
【図５】
2007304458.tif 000007
【図６】
2007304458.tif 000008
【図７】
2007304458.tif 000009
【図８】
2007304458.tif 000010
【図９】
2007304458.tif 000011
【図１０】
2007304458.tif 000012
【図１１】
2007304458.tif 000013